(57)【特許請求の範囲】
【請求項１】
所定周波数を有し所定時間ずつ断続的に発生する、電子機器を動作制御する為の遠隔制御信号を受け取る入力増幅器と、該入力増幅器の出力から前記所定周波数帯域を抜き取る帯域フィルタと、該帯域フィルタの出力を検波する検波器と、該検波器の出力を基に前記遠隔制御信号に対応する前記電子機器を動作制御する為の駆動信号を発生する駆動回路と、基準電圧を発生する基準電圧部と前記基準電圧を増幅する増幅部とから成り、前記入力増幅器の為の電源電圧（Ｖｃｃ‘）を出力するレギュレータと、を備えた遠隔制御信号の識別回路において、
前記識別回路を動作する電源と、（Ｖｃｃ）前記基準電圧部の出力と前記増幅部の出力を比較し、前記基準電圧部の出力が前記増幅部の出力より大の時に前記基準電圧部の出力変化の逆位相を出力する比較器と、
エミッタが前記比較器の出力に接続され、コレクタが接地される第１トランジスタ（１７）、エミッタが前記比較器の出力に接続され、コレクタ及びベースが共通接続される第２トランジスタ（１６）、ベースが前記第１トランジスタ（１７）のベースに接続され、エミッタが接地される第３トランジスタ（１４）、ベースが前記第２トランジスタ（１６）のベースに、エミッタが前記第３トランジスタ（１４）のコレクタに接続される第４トランジスタ、コレクタが第２トランジスタ（１６）のコレクタに接続される第５トランジスタ（１５）、エミッタが前記第４トランジスタ（１３）のコレクタに、ベースが前記第５トランジスタ（１５）のベースに接続される第６トランジスタ（１２）、前記第５及び第６トランジスタ（１５及び１２）の共通ベースに接続されるコンデンサ、エミッタが前記第１の抵抗（２０）を介して接地され、ベースが前記基準電圧部の出力に接続される第７トランジスタ（１９）、コレクタが前記第７トランジスタ（１９）のコレクタに、エミッタが第２の抵抗（２３）を介して電源電圧（Ｖｃｃ）に接続され、ベースがコレクタと共通接続される第８トランジスタ（２１）、およびベースが前記第８トランジスタ（２１）のベースに、エミッタが第３の抵抗（２４）を介して電源電圧（Ｖｃｃ）に接続され、コレクタが前記第５トランジスタ（１５）のエミッタに接続される第９トランジスタ（２２）から成り、前記第５トランジスタのエミッタからの出力を前記増幅器に入力し、該比較器の出力変化の逆位相を前記増幅部に印加する位相反転回路と、を備え、
前記比較器の出力変化をゼロとすることにより、前記増幅部の入力に大容量のコンデンサを等価的に結合するように成し、前記基準電圧部からのノイズに起因する前記増幅器の出力に重畳したノイズを除去するノイズフィルタを設けたこと特徴とする遠隔制御信号の識別回路。
【請求項２】
前記第１及び第５トランジスタは、前記第２、第３、第４及び第６トランジスタと逆極性とすることを特徴とする請求項１記載の遠隔制御信号の識別回路。
【発明の詳細な説明】
【０００１】
【発明の属する技術分野】
本発明は、ＴＶ受像機等の電子機器に内蔵されるリモコン受信部がリモコン信号を受信した際、前記リモコン受信部が前記リモコン信号を誤解読してその結果前記電子機器が誤動作してしまうのを防止する、遠隔制御信号の識別回路に関する。
【０００２】
【従来の技術】
ＴＶ受像機等の電子機器は、現在では、殆どが遠隔制御機能（リモコン機能）を有している。図５は、一般的なリモコン受信部を示す回路ブロック図であり、電子機器に内蔵される。
図５において、（１）は受光ダイオードであり、電子機器外部に設けられたワイヤレスのリモートコントローラ（図示せず）から発生するリモコン信号を受光するものである。ここで、前記リモコン信号は、特定周波数（例えば３８ＫＨｚ）を任意の時間（例えば数十μｓｅｃ）ずつ断続的に組み合わせた信号であり、この組み合わせ如何により、前記電子機器の複数の動作を制御できる。（２）は第１入力増幅器であり、受光ダイオード（１）を流れた電流を増幅し、前記リモコン信号の振幅増幅を行うものである。（３）は第２入力増幅器であり、第１入力増幅器（２）の出力を増幅するものである。（４）は帯域フィルタであり、前記リモコン信号の特定周波数帯域を中心に抜き取りを行うものである。（５）は検波器であり、帯域フィルタ（４）の出力を検波しエンベロープを形成するものである。（６）は駆動回路であり、帯域フィルタ（４）のエンベロープ電圧より低い電圧を基準電圧とする比較器を内蔵し、前記エンベロープ電圧が前記基準電圧より高い時、５Ｖ（ハイレベル）をエンベロープ発生時間だけ出力し、前記エンベロープ電圧が前記基準電圧より低い時、０Ｖ（ローレベル）を出力するものである。駆動回路（６）の２値出力は、５Ｖ駆動のマイクロコンピュータ（図示せず）に印加され、該マイクロコンピュータの出力に基づき前記電子機器の遠隔制御が実現される。尚、前記リモコン受信部には、前記電子機器の電源Ｖｃｃが共通に印加されている。
【０００３】
ところが、前記電子機器がＴＶ受像機の場合、該ＴＶ受像機はブラウン管上で水平走査を行わせる為の水平発振器を内蔵しており、該水平発振器の発振周波数（１６．６ＫＨｚ）がノイズとして電源ラインに重畳してしまう。すると、前記重畳ノイズは、まず、第１及び第２入力増幅器（２）（３）で前記リモコン信号と共に増幅されてしまう。その後、前記重畳ノイズ（１６．６ＫＨｚ）は、前記リモコン信号の特定周波数（３８ＫＨｚ）に程近い為、前記リモコン信号の特定周波数より小さい振幅に減衰するも帯域フィルタ（４）を通過してしまう。ここで、帯域フィルタ（４）を通過した前記重畳ノイズの振幅が、第１及び第２入力増幅器（２）（３）の増幅率に起因して、検波器（５）の検波レベルを越えてしまった場合、前記重畳ノイズの発生部分に余計なエンベロープが形成されてしまう。この結果、駆動回路（６）の出力が本来０Ｖであるべきところが５Ｖとなってしまい、これより、前記電子機器の誤動作を引き起こす問題があった。
【０００４】
そこで、前記問題を解決する為には、初段の第１入力増幅器（２）の電源入力に前記電源ノイズを印加させない工夫をすれば良い。図４は前記工夫を施した一例であり、図５の説明との重複を避ける為、図５の第１入力増幅器（２）のみを取り出している。
図４において、（７）は基準電圧部、（８）は増幅部であり、レギュレータを構成する。基準電圧部（７）及び増幅部（８）の各電源は前記電子機器の電源Ｖｃｃと共通接続されている。動作としては、基準電圧部（７）から基準電圧が出力される。該基準電圧は増幅部（８）で所定増幅される。即ち、該増幅器（８）から電源電圧Ｖｃｃと等しい電圧Ｖｃｃ’が出力される。そして、該電圧Ｖｃｃ’が第１入力増幅器（２）の電源電圧となる。電源電圧Ｖｃｃ’はレギュレートされている為、例え電源Ｖｃｃがノイズ変動を生じても、該ノイズの影響を受けることはない。これより、図４の対策を施せば、図５の問題を大幅に解消できる。
【０００５】
【発明が解決しようとする課題】
ところが、前記レギュレータは、抵抗及びトランジスタを含んで構成されている為、前記抵抗から発生する熱ノイズ及び前記トランジスタから発生するショットノイズが微少レベルながら電源Ｖｃｃ’に重畳してしまう。ここで、前記熱ノイズ及び前記ショットノイズは、前記電源Ｖｃｃノイズと同様に、帯域フィルタ（４）を通過するものである。仮に、帯域フィルタ（４）を通過した熱ノイズ及びショットノイズの振幅が検波器（５）の検波レベルを越える様に、第１及び第２入力増幅器（２）（３）の増幅率が設定されている場合、図５の場合と同様に前記電子機器が誤動作する問題を生じる。
【０００６】
そこで、本発明は、レギュレータから発生する熱ノイズ及びショットノイズに基づき電子機器が誤動作するのを防止できる、遠隔制御信号の識別回路を提供することを目的とする。
【０００７】
【課題を解決するための手段】
本発明は、前記問題点を解決する為に成されたものであり、その特徴とするところは、所定周波数を有し所定時間ずつ断続的に発生する、電子機器を動作制御する為の遠隔制御信号を受け取る入力増幅器と、該入力増幅器の出力から前記所定周波数帯域を抜き取る帯域フィルタと、該帯域フィルタの出力を検波する検波器と、該検波器の出力を基に前記遠隔制御信号に対応する前記電子機器を動作制御する為の駆動信号を発生する駆動回路と、前記入力増幅器の為の電源電圧を出力するレギュレータと、を備えた遠隔制御信号の識別回路において、前記レギュレータの出力に重畳したノイズを除去するノイズフィルタを設けた点である。
【０００８】
【発明の実施の形態】
本発明の詳細を図面に従って具体的に説明する。
図１は本発明を示す回路ブロック図であり、レギュレータを構成する増幅部（８）の出力と第１入力増幅器（２）の電源入力との間に、ノイズフィルタ（９）を設けている。これより、電源Ｖｃｃ’に重畳した熱ノイズ及びショットノイズを除去することができる。
【０００９】
図２はノイズフィルタ（９）の一実施例であり、レギュレータを構成する増幅部（８）の出力と接地との間に平滑コンデンサ（１０）を設けたものである。例えば、リモコン受信部を構成する第１及び第２入力増幅器（２）（３）、帯域フィルタ（４）、検波器（５）、及び駆動回路（６）が集積化されている場合、平滑コンデンサ（１０）は集積回路の外付部品となる。電源Ｖｃｃ’に重畳した熱ノイズ及びショットノイズを平滑する為には、平滑コンデンサ（１０）の容量を１０μＦ程度に設定すると好適である。
【００１０】
図３はノイズフィルタ（９）の他の具体例であり、前記リモコン受信部及び前記ノイズフィルタ（９）を集積化した場合の一例である。
図３において、（１１）は比較器であり、−端子は基準電圧部（７）の出力と接続され、＋端子は増幅部（８）の出力と接続されている。（１２）（１３）（１４）はＮＰＮ型のトランジスタであり、コレクタエミッタ路が基準電圧部（７）の出力と接地との間に直列接続されている。（１５）はＰＮＰ型のトランジスタ、（１６）はダイオード接続されたＮＰＮ型のトランジスタ、（１７）はＰＮＰ型のトランジスタであり、トランジスタ（１５）（１６）（１７）のコレクタエミッタ路は直列接続されている。且つ、トランジスタ（１２）（１５）、（１３）（１６）、（１４）（１７）の各ベースは接続され、トランジスタ（１６）（１７）の共通エミッタは比較器（１１）の出力と接続されている。且つ、トランジスタ（１５）のエミッタは増幅部（８）の入力と接続されている。（１８）は容量Ｃのコンデンサであり、トランジスタ（１２）（１５）の共通ベースと接地との間に接続されている。（１９）はＮＰＮ型のトランジスタであり、ベースは基準電圧部（７）の出力と接続され、エミッタは抵抗（２０）を介して接地されている。（２１）（２２）は電流ミラー回路を構成するＰＮＰ型のトランジスタである。ダイオード接続されたトランジスタ（２１）のエミッタは抵抗（２３）を介して電源Ｖｃｃと接続され、コレクタはトランジスタ（１９）のコレクタと接続されている。トランジスタ（２２）のエミッタは抵抗（２４）を介して電源Ｖｃｃと接続され、コレクタはトランジスタ（１５）のエミッタと接続されている。尚、トランジスタ（１９）（２１）（２２）はバイアス回路を構成する。
【００１１】
図３において、基準電圧部（７）から出力される基準電圧に熱ノイズ及びショットノイズ等が重畳し、基準電圧が正方向に変動した場合を考える。まず、比較器（１１）の出力電圧は負方向に変動し、これに伴い、トランジスタ（１３）のコレクタ電圧、トランジスタ（１２）のベース電圧及びトランジスタ（１５）のエミッタ電圧が正方向に変動する。そして、増幅部（８）の入出力電圧が正方向に変動し、この結果、比較器（１１）の＋端子電圧は正方向に変動する。よって、比較器（１１）の出力電圧の負方向への変化幅は小さくなる。
【００１２】
さて、コンデンサ（１８）に注目すると、トランジスタ（１２）のベース電圧が上昇した分だけトランジスタ（１５）のエミッタ電圧が上昇する為、コンデンサ（１８）は実質的には充放電動作が殆ど行われていない状態となる。換言すれば、コンデンサ（１８）は、実際に小さい容量でありながら、大きい容量を持った状態と等価となる。具体的には、トランジスタ（１５）の電流増幅率をβとすると、トランジスタ（１５）のエミッタ即ち増幅部（８）の入力と接地との間にはＣβの容量が結合されたのと等価となる。
【００１３】
上記動作は比較器（１１）の出力電圧に負の変化が生じている限り繰り返し行われる。ここで、上記動作を繰り返し行う過程において、上記動作が１回繰り返される度に、トランジスタ（１５）のエミッタにはＣβの容量が累積されて結合されていく。即ち、図３の上記動作が１回繰り返される度に、レギュレータを構成する増幅部（８）の入力の容量はＣβがべき乗されて増加することになり（上記動作がｎ回繰り返された場合、容量はＣβ↑ｎとなる）、増幅部（８）の入力には相当大きな容量が結合されたのと等価となる。尚、レギュレータを構成する一方の基準電圧部（７）の出力に前記熱ノイズ及び前記ショットノイズが重畳し、比較器（１１）の−端子入力が負方向に変動した場合も、上記した動作と同様にしてレギュレータを構成する他方の増幅部（８）の入力に大きな容量を結合したのと等価の状態を作ることができる。
【００１４】
これより、レギュレータを構成する一方の基準電圧部（７）の出力に前記熱ノイズ及び前記ショットノイズが重畳し、その結果、基準電圧部（７）の出力が正方向及び負方向に変動した場合でも、レギュレータを構成する他方の増幅部（８）の入力部分に大きい容量のコンデンサを等価的に作ることにより前記ノイズを平滑して除去することができ、第１入力増幅器（２）にノイズのない安定した電源電圧Ｖｃｃ’を供給することができる。ここで、第１入力増幅器（２）は初段の増幅器であり、初段の増幅器の電源入力のノイズを抑え込んでしまえば、例え次段の第２入力増幅器（３）の増幅率が大きく設定されていたとしても、検波器（５）でのノイズ検波を確実に防止でき、前記電子機器の誤動作を防止できる。
【００１５】
以上より、図２及び図３に示す様なノイズフィルタ（９）の一例を設けることにより、ＴＶ受像機等の電子機器に対して確実な遠隔制御を実現できる。
【００１６】
【発明の効果】
本発明によれば、リモコン受信部の初段の増幅器である第１入力増幅器に電源電圧を供給するレギュレータにおいて、該レギュレータから発生する特有の熱ノイズ及びショットノイズを除去するノイズフィルタを設けた。これにより、第１入力増幅器に常に安定した電源電圧を供給することができ、前記リモコン受信部を内蔵した電子機器の確実な遠隔制御を実現できる利点が得られる。
【図面の簡単な説明】
【図１】本発明の遠隔制御信号の識別回路を示す回路ブロック図である。
【図２】図１の第１の具体例を示す回路ブロック図である。
【図３】図１の第２の具体例を示す回路ブロック図である。
【図４】従来回路を示す回路ブロック図である。
【図５】従来回路を示す回路ブロック図である。
【符号の説明】
（２）  第１入力増幅器
（３）  第２入力増幅器
（４）  帯域フィルタ
（５）  検波器
（６）  駆動回路
（７）  基準電圧部
（８）  増幅部
（９）  ノイズフィルタ
（１０）  平滑コンデンサ
（１１）  コンパレータ
（１２）〜（１７）  トランジスタ
（１８）  コンデンサ
【図１】
0003675917.tif 000002
【図２】
0003675917.tif 000003
【図３】
0003675917.tif 000004
【図４】
0003675917.tif 000005
【図５】
0003675917.tif 000006